【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
コイルを有する給電モジュールと、
前記給電モジュールのコイルから共振現象により電力が供給されるコイルを有する受電モジュールと
を備え、
前記給電モジュールにおけるコイルから受電モジュールにおけるコイルに共振現象により電力を供給する際に、前記給電モジュールにおけるコイルと前記受電モジュールにおけるコイルとの間の所望位置に、当該所望位置の周りの磁界強度よりも小さな磁界強度を有する磁界空間を、前記給電モジュールにおけるコイル及び前記受電モジュールにおけるコイルの周辺に発生する磁界同士の打ち消し合いにより形成するように構成されていることを特徴とする無線電力供給システム。
【請求項２】
前記所望位置は、前記給電モジュールにおけるコイル及び前記受電モジュールにおけるコイルの内周側、又は、前記給電モジュールにおけるコイル及び前記受電モジュールにおけるコイルの外周側であることを特徴とする請求項１に記載の無線電力供給システム。
【請求項３】
前記給電モジュールにおけるコイルから前記受電モジュールにおけるコイルに対して前記共振現象により電力を供給するときに、
前記給電モジュールにおけるコイルに流れる電流の向きと前記受電モジュールにおけるコイルに流れる電流の向きとが、逆向きになるように、前記給電モジュールにおけるコイルに供給する電力の周波数を設定し、前記給電モジュールにおけるコイル及び前記受電モジュールにおけるコイルの内周側に前記磁界空間を形成することを特徴とする請求項２に記載の無線電力供給システム。
【請求項４】
前記給電モジュールにおけるコイルから前記受電モジュールにおけるコイルに対して前記共振現象により電力を供給するときに、
前記給電モジュールにおけるコイルに流れる電流の向きと前記受電モジュールにおけるコイルに流れる電流の向きとが、同じ向きになるように、前記給電モジュールにおけるコイルに供給する電力の周波数を設定し、前記給電モジュールにおけるコイル及び前記受電モジュールにおけるコイルの外周側に前記磁界空間を形成することを特徴とする請求項２に記載の無線電力供給システム。
【請求項５】
前記磁界空間に電子部品及び充電池の少なくとも１つが配置されていることを特徴とする請求項１〜４の何れかに記載の無線電力供給システム。
【請求項６】
受電共振器を備えた受電装置に対して電力を供給する給電装置であって、
前記受電共振器に対して共振現象により電力を供給するための給電共振器を備え、
前記給電共振器と前記受電共振器との間の所望位置に、当該所望位置の周りの磁界強度よりも小さな磁界強度を有する磁界空間を、前記給電共振器と前記受電共振器の周辺に発生する磁界同士の打ち消し合いにより形成するように構成されていることを特徴とする給電装置。
【請求項７】
前記所望位置は、前記給電共振器及び前記受電共振器の内周側、又は、前記給電共振器及び前記受電共振器の外周側であることを特徴とする請求項６に記載の給電装置。
【請求項８】
前記給電共振器から前記受電共振器に対して前記共振現象により電力を供給するときに、
前記給電共振器に流れる電流の向きと前記受電共振器に流れる電流の向きとが、逆向きになるように、前記給電共振器に供給する電力の周波数を設定し、前記給電共振器及び前記受電共振器の内周側に前記磁界空間を形成することを特徴とする請求項７に記載の給電装置。
【請求項９】
前記給電共振器から前記受電共振器に対して前記共振現象により電力を供給するときに、
前記給電共振器に流れる電流の向きと前記受電共振器に流れる電流の向きとが、同じ向きになるように、前記給電共振器に供給する電力の周波数を設定し、前記給電共振器及び前記受電共振器の外周側に前記磁界空間を形成することを特徴とする請求項７に記載の給電装置。
【請求項１０】
前記磁界空間に電子部品及び充電池の少なくとも１つが配置されていることを特徴とする請求項６〜９の何れかに記載の給電装置。
【請求項１１】
前記受電装置は、携帯しながら使用できる電子機器に搭載されていることを特徴とする請求項６〜１０の何れかに記載の給電装置。
【請求項１２】
給電共振器を備えた給電装置から電力が供給される受電装置であって、
前記給電共振器から共振現象により電力が供給される受電共振器を備え、
前記給電共振器と前記受電共振器との間の所望位置に、当該所望位置の周りの磁界強度よりも小さな磁界強度を有する磁界空間を、前記給電共振器と前記受電共振器の周辺に発生する磁界同士の打ち消し合いにより形成するように構成されていることを特徴とする受電装置。
【請求項１３】
前記所望位置は、前記給電共振器及び前記受電共振器の内周側、又は、前記給電共振器及び前記受電共振器の外周側であることを特徴とする請求項１２に記載の受電装置。
【請求項１４】
前記給電共振器から前記受電共振器に対して前記共振現象により電力が供給される際に、
前記給電共振器に流れる電流の向きと前記受電共振器に流れる電流の向きとが、逆向きになるように設定された周波数が、前記給電共振器に供給されたときに、前記給電共振器及び前記受電共振器の内周側に前記磁界空間を形成することを特徴とする請求項１３に記載の受電装置。
【請求項１５】
前記給電共振器から前記受電共振器に対して前記共振現象により電力が供給される際に、
前記給電共振器に流れる電流の向きと前記受電共振器に流れる電流の向きとが、同じ向きになるように設定された周波数が、前記給電共振器に供給されたときに、前記給電共振器及び前記受電共振器の外周側に前記磁界空間を形成することを特徴とする請求項１３に記載の受電装置。
【請求項１６】
前記磁界空間に電子部品及び充電池の少なくとも１つが配置されていることを特徴とする請求項１２〜１５の何れかに記載の受電装置。
【請求項１７】
携帯しながら使用できる電子機器に搭載されていることを特徴とする請求項１２〜１６の何れかに記載の受電装置。
【請求項１８】
共振現象により磁界共鳴状態となるコイル間の所望位置に、当該所望位置の周りの磁界強度よりも小さな磁界強度を有する磁界空間を、前記コイル周辺に発生する磁界同士の打ち消し合いにより形成することを特徴とする磁界空間の形成方法。
【請求項１９】
前記所望位置は、前記コイルの内周側及び前記コイルの外周側から選択された側であることを特徴とする請求項１８に記載の磁界空間の形成方法。
【請求項２０】
前記コイルに関する調整パラメータを設定することによって、前記磁界空間を前記所望位置に形成することを特徴とする請求項１８又は１９に記載の磁界空間の形成方法。
【請求項２１】
前記磁界空間には、電子部品及び充電池の少なくとも１つが配置されていることを特徴とする請求項１８〜２０の何れかに記載の磁界空間の形成方法。
【請求項２２】
前記コイルが給電モジュール及び受電モジュールにそれぞれ備えられており、前記給電モジュールにおける前記コイルから前記受電モジュールにおける前記コイルに共振現象により電力を供給する際に、前記磁界空間を形成することを特徴とする請求項１８〜２１の何れかに記載の磁界空間の形成方法。
【請求項２３】
前記受電モジュールは、携帯しながら使用できる電子機器に搭載されていることを特徴とする請求項１８〜２２の何れかに記載の磁界空間の形成方法。
【手続補正２】
【補正対象書類名】明細書
【補正対象項目名】発明の名称
【補正方法】変更
【補正の内容】
【発明の名称】無線電力供給システム、給電装置、受電装置、及び、磁界空間の形成方法
【手続補正３】
【補正対象書類名】明細書
【補正対象項目名】０００１
【補正方法】変更
【補正の内容】
【０００１】
本発明は、比較的磁界強度が小さな磁界空間を形成する、無線電力供給システム、給電装置、受電装置、及び、方法に関する。
【手続補正４】
【補正対象書類名】明細書
【補正対象項目名】０００８
【補正方法】変更
【補正の内容】
【０００８】
そこで、本発明の目的は、給電モジュールにおけるコイルと受電モジュールにおけるコイルとの間に、意図的に磁界強度の小さな磁界空間を形成し、更に、磁界強度の小さな磁界空間の形成場所や、磁界空間の大きさや、磁界空間の形状を制御可能な無線電力供給システム、給電装置、受電装置、及び、磁界空間の形成方法を提供することにある。